(57)【要約】【課題】打感と静音性を向上させると共に、製造コストの上昇を抑制する。【解決手段】打撃パッド１０において、パッド部１１は軟質部１９及び硬質部材１４を有し、軟質部１９には、鉄板等の硬質部材１４が心材として内包される。軟質部１９は硬質部材１４より軟質である。パッド部１１が接続部１２を介してリム部１３に接続される。接続部１２は、パッド部１１の軟質部１９と同じ素材で軟質部１９と一体に形成される。接続部１２は、パッド部１１の打撃時には自身が弾性変形することによって、パッド部１１の全体が打撃方向に沈むのを許容し、自身の弾性変形によって、パッド部１１と支持部となるケース１５との間の振動伝達を抑制する振動抑制部となる。【選択図】図１
2015230361.tif 000002
【特許請求の範囲】
【請求項１】
心材と、該心材よりも軟質の素材で構成され打撃面を有する軟質部とを有するパッド部と、
前記パッド部を支持する支持部と、
前記支持部に直接または間接的に固定されるかあるいは、少なくとも打撃時には前記支持部に接触し得るように設けられ、自身の弾性変形によって、前記パッド部と前記支持部との間の振動伝達を抑制する振動抑制部とを有し、
前記振動抑制部は、前記軟質部と同じ素材で前記軟質部と一体に形成されることを特徴とする打撃パッド。
【請求項２】
前記パッド部を前記支持部に支持させるために前記支持部に取り付けられる取り付け部をさらに有し、
前記取り付け部は、前記軟質部と同じ素材で前記軟質部と一体に形成されることを特徴とする請求項１記載の打撃パッド。
【請求項３】
前記取り付け部は前記支持部に固定され、
前記振動抑制部は、前記取り付け部と前記パッド部とを接続するように形成されることを特徴とする請求項２記載の打撃パッド。
【請求項４】
前記取り付け部が前記支持部に弾性的に係合することで、前記振動抑制部は前記支持部に常時接触することを特徴とする請求項２記載の打撃パッド。
【請求項５】
前記振動抑制部は、先端が前記支持部に当接し得る突起部を有し、打撃時には前記突起部が前記支持部から押圧力を受けて先端から潰れることを特徴とする請求項１〜４のいずれか１項に記載の打撃パッド。
【請求項６】
前記支持部は、先端が前記振動抑制部に当接し得る突起部を有し、打撃時には前記突起部から押圧力を受けて前記振動抑制部が窪むことを特徴とする請求項１〜４のいずれか１項に記載の打撃パッド。
【発明の詳細な説明】
【技術分野】
【０００１】
本発明は、打楽器等に適用され、打撃される打撃面を有するパッド部を備える打撃パッドに関する。
【背景技術】
【０００２】
打楽器等に適用される打撃パッドは、本体ケース等の支持部に支持され、打撃部材によってパッド部の打撃面が打撃される。従来、安価な電子ドラム等のパッド部の構造としては、鉄板等の硬質部材を心材としてゴム材でくるんだ構造が一般的である。そして、パッド部の本体ケース等の支持部に対する取り付けについては、パッド部の外周を支持部に嵌め込む構造や、下記特許文献１の第３図のように、ゴム材に形成した脚部を支持部に挿通して取り付ける構造が一般的である。
【０００３】
これらの構造でも、ゴムの柔軟性によって、硬い心材を内包した打面から演奏時に手に与えられる衝撃や発生する衝突音を多少は和らげることができる。しかし演奏の打撃感触としては、「ゴム面は硬い」という印象が未だ残り、衝突音もあまり小さくならない。
【０００４】
また、パッド部の外周に設けた薄肉部でパッド部を支持部に接続し、打撃されたときに、薄肉部の弾性によってパッド部全体が打撃方向に沈むようにした打撃パッドも知られている（下記特許文献２）。しかし、打撃の際の薄肉部の弾性変形は、ダイアフラムのような主として単純な伸長であって変形量が小さいため、打感と静音性の向上には不十分である。
【０００５】
ところで、外乱を遮断するために、パッド部と支持部との間に、振動伝達を抑制するためのインシュレータ（振動抑制部）を介在させる打撃パッドが知られている（下記特許文献３）。この打撃パッドでは、別部品の成形品や発泡素材等で構成した弾性のあるインシュレータに突起部を設け、突起部がパッド部または支持部に対してのみ接するようにインシュレータを配置している。振動伝達が抑制されることで、打感と静音性の向上が期待できる。
【先行技術文献】
【特許文献】
【０００６】
【特許文献１】実開平５−３３１９９号公報
【特許文献２】特開２００４−２８７３５６号公報
【特許文献３】特開２０１０−２６２１６６号公報
【発明の概要】
【発明が解決しようとする課題】
【０００７】
しかしながら、振動抑制のための部材（インシュレータ）を別体で製造して適切に配設する必要があることから、部品点数の増加、打感調整等の設計工数の増加、及び組み付け等の製造工数の増加によるコストの上昇を招く。特に打感を最適に調整するためには、パッド部だけでなくインシュレータも同時に調整する必要があり、製造工程が煩雑化する。このように、従来は、製造コストの上昇を抑えつつ打感と静音性を共に向上させるのが容易でないという問題があった。
【０００８】
本発明は上記従来技術の問題を解決するためになされたものであり、その目的は、打感と静音性を向上させると共に、製造コストの上昇を抑制することができる打撃パッドを提供することにある。
【課題を解決するための手段】
【０００９】
上記目的を達成するために本発明の請求項１の打撃パッドは、心材（１４）と、該心材よりも軟質の素材で構成され打撃面（１１ａ）を有する軟質部（１９）とを有するパッド部（１１）と、前記パッド部を支持する支持部（１５）と、前記支持部に直接または間接的に固定されるかあるいは、少なくとも打撃時には前記支持部に接触し得るように設けられ、自身の弾性変形によって、前記パッド部と前記支持部との間の振動伝達を抑制する振動抑制部（１２、３３、３１）とを有し、前記振動抑制部は、前記軟質部と同じ素材で前記軟質部と一体に形成されることを特徴とする。
【００１０】
好ましくは、前記パッド部を前記支持部に支持させるために前記支持部に取り付けられる取り付け部（１３、２１、２２、３２、２４）をさらに有し、前記取り付け部は、前記軟質部と同じ素材で前記軟質部と一体に形成される（請求項２）。好ましくは、前記取り付け部（１３、２２、３２、２４）は前記支持部に固定され、前記振動抑制部（１２）は、前記取り付け部と前記パッド部とを接続するように形成される（請求項３）。好ましくは、前記取り付け部（２１、３２）が前記支持部に弾性的に係合することで、前記振動抑制部（１２、３３）は前記支持部に常時接触する（請求項４）。好ましくは、前記振動抑制部（３１）は、先端が前記支持部に当接し得る突起部（３３）を有し、打撃時には前記突起部が前記支持部から押圧力を受けて先端から潰れる（請求項５）。好ましくは、前記支持部は、先端が前記振動抑制部に当接し得る突起部（４３）を有し、打撃時には前記突起部から押圧力を受けて前記振動抑制部（３１）が窪む（請求項６）。
【００１１】
なお、上記括弧内の符号は例示である。
【発明の効果】
【００１２】
本発明の請求項１によれば、打感と静音性を向上させると共に、製造コストの上昇を抑制することができる。
【００１３】
請求項２によれば、部品点数削減により製造コストの上昇を抑制することができる。請求項３によれば、振動抑制部の機能を安定して発揮させることができる。請求項４によれば、振動抑制部の機能を安定して発揮させることができる。請求項５によれば、振動抑制機能を効率よく発揮させることができる。請求項６によれば、振動抑制機能を効率よく発揮させると共に、耐久性を向上させることができる。
【図面の簡単な説明】
【００１４】
【図１】本発明の一実施の形態に係る打撃パッドの非打撃状態の模式的断面図（図(ａ)）、打撃状態における接続部付近の模式図（図（ｂ））、第１、第２の変形例を示す図（図（ｃ）、（ｄ）、図（ｅ）、（ｆ））である。
【図２】第３、第４の変形例を示す図（図（ａ）〜（ｃ）、図（ｄ）〜（ｆ））である。
【図３】第７、第８の変形例を示す図（図（ａ）、（ｂ）、図（ｃ））、第９の変形例を示す図（図（ｄ）〜（ｆ））である。
【発明を実施するための形態】
【００１５】
以下、本発明の実施の形態を図面を参照して説明する。
【００１６】
図１（ａ）は、本発明の一実施の形態に係る打撃パッドの模式的断面図であり、非打撃状態を示している。本発明の打撃パッドは電子打楽器への適用が想定されるが、それに限られず、例えば練習専用の打撃パッドとして構成されてもよい。
【００１７】
この打撃パッド１０は、パッド部１１、接続部１２、リム部１３及びケース１５を有する。ケース１５は、床面に載置されるか、または床面に対して不図示のスタンドによって支持される。パッド部１１は軟質部１９及び硬質部材１４を有する。軟質部１９には、鉄板等の硬質部材１４が心材として内包される。軟質部１９は硬質部材１４より軟質であり、接続部１２及びリム部１３と共に、弾性を有するゴム材等の軟質材で一体に形成される。硬質部材１４は、パッド部１１の成形時に軟質部１９に組み付けてもよいが、事後的に嵌め込み等によって内装してもよい。
【００１８】
パッド部１１の裏面にはピエゾ素子等で構成される打撃センサ１７が配設される。打撃センサ１７は、パッド部１１の振動から打撃を検出する。
【００１９】
本発明の特徴として、自身の弾性変形によって、支持部となるケース１５とパッド部１１との間の振動伝達を抑制する「振動抑制部」が設けられる。この振動抑制部は、パッド部１１の軟質部１９と同じ素材で軟質部１９と一体に形成される。本実施の形態では、接続部１２が振動抑制部として機能する。
【００２０】
まず、接続部１２は、パッド部１１の周縁部とリム部１３とを接続する。パッド部１１の平面視形状は問わないが、例えば円形であるとすると、接続部１２やリム部１３は環状となる。リム部１３はケース１５に嵌め込み等で固定される。支持部であるケース１５にリム部１３が取り付けられることで、パッド部１１が接続部１２を介してケース１５に支持される。接続部１２は薄肉に形成され、予め（非打撃状態において）、スピーカのダンパのごとく波状に形成されている。
【００２１】
図１（ｂ）は、打撃状態における接続部１２付近の模式図である。
【００２２】
パッド部１１の表面である打撃面１１ａがスティック等の打撃部材で打撃される。打撃部材による打撃方向は、打撃面１１ａに垂直な方向であり、打撃部材により押される方向である。
【００２３】
接続部１２はそれ自身で弾性を有するので、パッド部１１の打撃時には自身が弾性変形することによって、パッド部１１の全体が打撃方向に沈むのを許容する。本実施の形態では、パッド部１１が打撃されて打撃方向に変位する行程において接続部１２には、伸長及び／又は曲げを主とする弾性変形が生じる（図１（ｂ））。打撃されて沈んだパッド部１１が元の位置に復帰する際に変位する方向を、打撃方向の反対側の方向と称する。
【００２４】
本実施の形態の構成では、打撃時に主として接続部１２が弾性変形してパッド部１１が変位する。従って、従来の打撃パッドと比べると、接続部１２の変形という局部的な変形によって、パッド部１１とケース１５との間の振動伝達が効果的に抑制され、打感が軟らかくなると共に衝撃音も小さくなる。
【００２５】
また、接続部１２が、パッド部１１の軟質部１９と同じ素材で軟質部１９と一体に形成されるので、部品点数が削減されると共に、組み付け等の製造工数が削減される。それだけでなく、仮に、接続部１２がパッド部１１とは別部品であったとすると、製品設計時に打感の調整を行う際に、打面とインシュレータである接続部１２の硬度を各々適切に設定し、両者のバランスをとる必要があり、手間がかかる。これに対し、同一材料により両者を一体成形できるため、両者が同じ硬度となり、両者のバランスを保ったまま打感を調整するのが容易となる。従って、打感調整の設計工数が削減される。工数削減はコスト低減に繋がる。
【００２６】
よって、本実施の形態によれば、打感と静音性を向上させると共に、製造コストの上昇を抑制することができる。
【００２７】
（変形例）
振動抑制部を、パッド部１１の軟質部１９と同じ素材で軟質部１９と一体に形成する構成は、図１（ａ）、（ｂ）に示した以外にも各種考えられる。以下、図１（ｃ）〜（ｆ）、図２、図３で変形例を示す。なお、これらの変形例においては打撃センサ１７の図示を省略している。
【００２８】
図１（ｃ）、（ｄ）は、第１の変形例に係る打撃パッド１０の非打撃状態における模式的断面図、打撃状態における振動抑制部付近の模式図である。
【００２９】
この第１の変形例では、パッド部１１の軟質部１９の裏面側に、基部１１ｂが軟質部１９と一体に、打撃方向に複数突設形成される。各々の基部１１ｂに、取り付け部２１と接続部１２とが一体に形成されている。取り付け部２１は鉤型あるいは矢印型になっている。
【００３０】
ケース１５に形成された貫通穴に、取り付け部２１の、断面が大きい先端部を挿通して係合させると、取り付け部２１の先端部の弾性的な係合と接続部１２の弾性的圧縮とによって、接続部１２は圧縮状態で、打撃方向における先端がケース１５に対して当接する。取り付け部２１の先端部が抜け止めとなって、パッド部１１がケース１５に対して取り付けられる。
【００３１】
この構成では、取り付け部２１がケース１５に弾性的に係合することで接続部１２はケース１５に常時接触するので、接続部１２の振動抑制の機能を安定して発揮させることができる。なお、接続部１２の先端はケース１５に対して固着されてもよい。
【００３２】
パッド部１１が打撃されて打撃方向に変位する行程において、接続部１２には、圧縮を主とする弾性変形が生じる（図１（ｄ））。接続部１２の変形によって、パッド部１１とケース１５との間の振動伝達が抑制される。また、接続部１２は、パッド部１１の軟質部１９と同じ素材で軟質部１９と一体に形成される。従って、打感と静音性を向上させると共に、製造コストの上昇を抑制することができる。
【００３３】
図１（ｅ）、（ｆ）は、第２の変形例に係る打撃パッド１０の非打撃状態における模式的断面図、打撃状態における振動抑制部付近の模式図である。
【００３４】
この第２の変形例では、リム部１３と取り付け部２２とが振動抑制部である接続部１２で接続される。従って、取り付け部２２、接続部１２及びリム部１３が、パッド部１１の軟質部１９と同じ素材で軟質部１９と一体に形成される。取り付け部２２は、嵌め込み等によってケース１５に固定される。
【００３５】
パッド部１１が打撃されて打撃方向に変位する行程において、接続部１２には、圧縮を主とする弾性変形が生じる（図１（ｆ）））。接続部１２の弾性変形によって、パッド部１１の軟質部１９とリム部１３とがほぼ一体で打撃方向に沿って変位し、パッド部１１とケース１５との間の振動伝達が抑制される。従って、打感と静音性を向上させると共に、製造コストの上昇を抑制することができる。
【００３６】
図２（ａ）、（ｂ）は、第３の変形例に係る打撃パッド１０の非打撃状態における模式的断面図、打撃状態における振動抑制部付近の模式図である。図２（ｃ）は、第４の変形例に係る打撃パッド１０の非打撃状態における模式的断面図である。
【００３７】
第３、第４の変形例では、パッド部１１を取り付け部に対して振動抑制部で吊り下げる形態で支持させる。
【００３８】
まず第３の変形例（図２（ａ））では、図１（ａ）の構成に比し、接続部１２の形状や接続位置が異なり、接続部１２は、縦断面視でＵ字状部分を有する。パッド部１１が打撃されて打撃方向に変位する行程において、接続部１２には、伸長及び／又は曲げを主とする弾性変形が生じる（図２（ｂ））。パッド部１１が吊り下げ形状で支持されているため、接続部１２には常にある程度の引っ張り力が働いているが、打撃により、接続部１２がさらに伸びて打撃力を吸収する。打感が軟らかくなり、打撃音も小さくなる。
【００３９】
第４の変形例（図２（ｃ））では、パッド部１１の軟質部１９の裏面側に、基部１１ｂが一体に打撃方向に突設形成される。この基部１１ｂと取り付け部２３とが接続部１２で接続され、これらが軟質部１９と同じ素材で一体に形成されている。取り付け部２１は先端部に鉤型を有すると共に、先端部の手前にフランジ部を有する。ケース１５に形成された貫通穴に先端部を挿通して係合させると、取り付け部２１の先端部とフランジ部とでケース１５を挟持する形となって、パッド部１１がケース１５に対して取り付けられる。
【００４０】
この第４の変形例でも、第３の変形例と同様に、接続部１２には常にある程度の引っ張り力が働いており、パッド部１１が打撃されて打撃方向に変位する行程において、接続部１２には主に、さらなる伸長及び曲げによる弾性変形が生じる。
【００４１】
従って、第３、第４の変形例によっても、打感と静音性を向上させると共に、製造コストの上昇を抑制することができる。
【００４２】
図２（ｄ）、（ｅ）は、第５の変形例に係る打撃パッド１０の非打撃状態における模式的断面図、打撃状態における振動抑制部付近の模式図である。図２（ｆ）は、第６の変形例に係る打撃パッド１０の非打撃状態における模式的断面図である。
【００４３】
第５、第６の変形例では、パッド部１１を取り付け部に対して振動抑制部で持ち上げるような形態で支持させる。図１（ａ）の構成に比し、接続部１２の形状や接続位置が異なっている。非打撃状態において、打撃方向における、パッド部１１に対する接続部１２の接続位置の方が、リム部１３に対する接続部１２の接続位置よりも、打撃方向の反対側寄りの位置とされている。
【００４４】
持ち上げる形にパッド部１１が支持されるので、打撃によるパッド部１１の打撃方向への変位行程において、接続部１２には、当初は曲げ及び／又は圧縮を主とする弾性変形が生じる。中打時や強打時のように、打撃方向へのパッド部１１の変位行程において接続部１２に伸長を主とする弾性変形が生じる場合には、それが生じるよりも前に曲げ及び／又は圧縮を主とする弾性変形が生じる。これにより、打撃ストロークを十分に大きく確保することができる。従って、打感と静音性が向上する。
【００４５】
特に第５の変形例（図２（ｄ））では、接続部１２は、非打撃状態において、縦断面視で打撃方向の反対側に凸となるようドーム状に湾曲している。打撃されたとき、接続部１２において湾曲した部分から大きな変形が始まる。従って、接続部１２には、座屈のような急激な変形ではなく、円滑な曲げ変形が生じる（図２（ｅ））。湾曲した部分がその湾曲の度合いを打撃の強さに応じて高めていくので、パッド部１１の沈み込みが打撃力に応じた緩やかなものとなり、演奏性が向上する。
【００４６】
一方、第６の変形例（図２（ｆ））では、接続部１２が直線的であるので、打撃パッド１０の全体として、側面視でアコースティックドラムのヘッドのエッジを模擬した形状となり、外観が向上するという利点がある。
【００４７】
従って、第５、第６の変形例によっても、打感と静音性を向上させると共に、製造コストの上昇を抑制することができる。
【００４８】
ところで、図１（ｃ）、（ｄ）の例を除く、図１、図２で示した各例では、振動抑制部（接続部１２）は、取り付け部（取り付け部２２、２３）とパッド部１１とを接続するように形成されたので、振動抑制部の機能を安定して発揮させることができる。なお、図１（ａ）に示した例でも、リム部１３が取り付け部に相当すると考えれば、振動抑制部の機能を安定して発揮させるという効果は生じている。
【００４９】
図３(ａ)、（ｂ）は、第７の変形例に係る打撃パッド１０の非打撃状態における模式的断面図、打撃状態における振動抑制部付近の模式図である。図３（ｃ）は、第８の変形例に係る打撃パッド１０の非打撃状態における模式的断面図である。
【００５０】
図１（ａ）の構成に対して、第７、第８の変形例では、振動抑制部として接続部１２を設ける代わりに、振動抑制部を形状的に変形しやすい凸形を有する形状とする。
【００５１】
まず、第７の変形例（図３（ａ）、（ｂ））では、パッド部１１の軟質部１９の裏面側に、基部３１が軟質部１９と一体に、打撃方向に複数突設形成される。各々の基部３１に、取り付け部３２が一体に形成されると共に、複数の突起部３３が一体に形成される。取り付け部３２は鉤型あるいは矢印型になっている。
【００５２】
基部３１及び突起部３３のうち主として突起部３３が振動抑制部として機能する。突起部３３は、打撃方向に垂直な断面形状が例えば円形であり、その断面積は先端ほど小さくなっていて、先端は丸まっている。
【００５３】
ケース１５に形成された貫通穴に、取り付け部３２の先端部を挿通して係合させると、取り付け部３２の先端部の弾性的な係合によって突起部３３の先端が常に圧縮状態でケース１５に対して当接する。取り付け部３２の先端部が抜け止めとなって、パッド部１１がケース１５に対して取り付けられる。
【００５４】
パッド部１１が打撃されて打撃方向に変位する行程において、突起部３３がケース１５から押圧力を受けて先端から潰れる。すなわち、圧縮を主とする弾性変形が生じる（図３（ｂ））。これにより、衝撃が効率よく吸収され、パッド部１１とケース１５との間の振動伝達が抑制される。取り付け部３２がケース１５に弾性的に係合することで突起部３３はケース１５に常時接触するので、突起部３３の余計な跳ねやばたつき現象を回避でき、突起部３３の振動抑制の機能を効率よく、安定して発揮させることができる。
【００５５】
一方、第８の変形例（図３（ｃ））では、リム部１３と取り付け部２４とが、薄肉のヒンジ部１８で接続され、複数の突起部３３が、リム部１３の裏面から一体に突設される。非打撃状態において、突起部３３の先端は、取り付け部２４の表側の面に近接している。取り付け部２４、ヒンジ部１８、及び、突起部３３を含むリム部１３が、パッド部１１の軟質部１９と同じ素材で軟質部１９と一体に形成される。取り付け部２４は、嵌め込み等によってケース１５に固定される。
【００５６】
パッド部１１が打撃されて打撃方向に変位する行程において、ヒンジ部１８が曲がることで、パッド部１１の軟質部１９とリム部１３とがほぼ一体で打撃方向に沿って変位する。すると、突起部３３が沈み、取り付け部２４に対して当接し得る。一定以上の強さの打撃においては、突起部３３が取り付け部２４に当接し、突起部３３が取り付け部２４から押圧力を受けて先端から潰れる。すなわち、圧縮を主とする弾性変形が生じる。これにより、パッド部１１とケース１５との間の振動伝達が抑制される。
【００５７】
従って、第７、第８の変形例によっても、打感と静音性を向上させると共に、製造コストの上昇を抑制することができる。
【００５８】
図３（ｄ）は、第９の変形例に係る打撃パッド１０の非打撃状態における模式的断面図である。図３（ｅ）、（ｆ）は、第９の変形例の打撃状態における振動抑制部付近の模式図である。第７の変形例（図３（ａ）、（ｂ））の構成に対して、第９の変形例では、突起部を振動抑制部の側でなく支持部の側に設ける。
【００５９】
まず、パッド部１１の軟質部１９の裏面側に、基部３１が軟質部１９と一体に、打撃方向に複数突設形成される。この基部３１に、取り付け部３２が一体に形成される。第７の変形例の構成に対して、基部３１及び取り付け部３２の構成は、突起部３３が無い点以外は同じである。一方、取り付け部３２に対向するケース１５の面に突起部４３を設ける。突起部４３は、ケース１５と一体または別体に構成され、例えば、硬質樹脂や金属等の硬質材で構成される。突起部４３は、突起部３３とは突設方向が逆となるだけで、形状については突起部３３と同様である。
【００６０】
第７の変形例（図３（ａ））では、突起部３３があるために基部３１及び取り付け部３２を含めた成形形状が複雑となる。離型時に成形品に損傷を与えるおそれもある。しかし第９の変形例（図３（ｄ））では、突起部４３はケース１５に設けられるので、軟質の基部３１の形状が単純になり、成形工程が簡素化される。
【００６１】
ケース１５に形成された貫通穴に、取り付け部３２の先端部を挿通して係合させると、取り付け部３２の先端部の弾性的な係合によって突起部４３の先端が常に基部３１の裏面に対して当接して基部３１を圧縮状態にする。取り付け部３２の先端部が抜け止めとなって、パッド部１１がケース１５に対して取り付けられる。
【００６２】
パッド部１１が打撃されて打撃方向に変位する行程において、突起部４３から押圧力を受けて基部３１の裏面が窪む。すなわち、基部３１に圧縮を主とする弾性変形が生じ、突起部４３が基部３１に食い込む（図３（ｆ））。
【００６３】
パッド部１１とケース１５との間の振動伝達の抑制の作用については、第７の変形例と同様である。従って、第９の変形例によっても、打感と静音性を向上させると共に、製造コストの上昇を抑制することができる。それだけでなく、突起部４３自体は弾性変形をほとんどせず、大きな肉部を有する基部３１が弾性変形するため、振動抑制部の耐久性を向上させることができる。
【００６４】
なお、図３（ａ）、（ｂ）に示す突起部３３と、図３（ｅ）、（ｆ）に示す突起部４３との双方を設ける構成を採用してもよい。
【００６５】
なお、上述した各種の変形例を含む構成において、リム部１３、取り付け部２１、２２、３２、２４は、パッド部１１の軟質部１９と一体に形成されるとしたが、本発明の効果を奏する観点からは軟質部１９と別体に形成されてもよい。
【００６６】
自身の弾性変形によってパッド部１１とケース１５との間の振動伝達を抑制する振動抑制部として、接続部１２、突起部３３、基部３１を例示したが、これらを設ける態様は例示に限定されない。すなわち、振動抑制部は、支持部に直接または間接的に固定されるかあるいは、少なくとも打撃時には支持部に接触し得るように設けられればよい。
【００６７】
また、支持部としてケース１５を例示したが、打撃時に床面に対して移動しない構成要素であればよい。
【００６８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の各変形例の一部を適宜組み合わせてもよい。
【符号の説明】
【００６９】
１０  打撃パッド、  １１  パッド部、  １１ａ  打撃面、  １４  硬質部材（心材）、  １２  接続部（振動抑制部）、  １３  リム部、  １５  ケース（支持部）、  １９  軟質部、  ２１、２２、３２、２４  取り付け部、  ３１  基部（振動抑制部）、  ３３  突起部（振動抑制部）
【図１】
2015230361.tif 000003
【図２】
2015230361.tif 000004
【図３】
2015230361.tif 000005